(57)【特許請求の範囲】
【請求項１】
第１の時間におけるネットワーク経路のサービス品質の第１の測定値を受信するステップ、
第２の時間におけるネットワーク経路のサービス品質の第２の測定値を受信するステップ、
前記ネットワーク経路に沿って送信されたデータの第１の忠実度を、第３の時間にテストするステップ、前記第３の時間は前記第１の測定値と第２の測定値の間の差に基づき、
第４の時間におけるネットワーク経路のサービス品質の第３の測定値を受信するステップ、及び、
前記ネットワーク経路に沿って送信されたデータの第２の忠実度を、処理装置を介して第５の時間にテストするステップを備える方法であって、前記第５の時間は前記第３の測定値と第２の測定値の間の差に基づく方法。
【請求項２】
請求項１に記載の方法であって、前記第１の測定値と前記第２の測定値との間の差が増大するにつれて、前記第３の時間と前記第２の時間との間の時間間隔が減少する方法。
【請求項３】
請求項１に記載の方法であって、前記第１の忠実度のテストは、前記ネットワーク経路による前記忠実度の損失を測定することを含む方法。
【請求項４】
請求項１に記載の方法であって、前記第３の時間はまた、前記第１の測定値と閾値との間の差に基づく方法。
【請求項５】
請求項１に記載の方法であって、前記第５の時間はまた、前記第３の時間と閾値との間の差に基づく方法。
【請求項６】
請求項１に記載の方法であって、前記第２の時間と前記第３の時間との間の前記時間間隔が前記第１の測定値に基づく方法。
【請求項７】
請求項６に記載の方法であって、前記第３の時間と前記第２の時間との間の前記時間間隔は、前記第１の測定値が閾値より低い場合には増大する方法。
【請求項８】
請求項１に記載の方法であって、前記第３の時間と前記第２の時間との間の前記時間間隔が前記第２の測定値に基づく、方法。
【請求項９】
請求項１に記載の方法であって、前記忠実度のテストが客観的テストである方法。
【発明の詳細な説明】
【技術分野】
【０００１】
本発明は概略として電気通信に関し、より具体的にはネットワークを介してのデータの送信に関する。
【背景技術】
【０００２】
高品位テレビ（ＨＤＴＶ）信号などのビデオ信号は、インターネットプロトコルネットワークなど、サービス品質保証を有しないネットワークを介して送信されることが多くなってきている。従って、ビデオがこれらのネットワークを介して流れるので情報の損失が存在する。
【０００３】
映画館では、フィルムリールはライトの前で（通常）毎秒２４フレームで回転する。もし誰かがフィルム内のどれか１つだけのフレームを見れば、その人には１つの完全な絵が見えるであろう。フィルムは、各図がその前の図とわずかに異なる「フリップブック」のようなものである。デジタルビデオはそれとは異なるように機能する。
【０００４】
デジタルビデオはできるだけ少ないデータで最高の品質のビデオを得るために圧縮される。しばしば、ビデオ圧縮システムは、ビデオの単一の「フレーム」を画像として送信することにより機能し、システムは−−次のフレームの画像全体を送信するのではなく−−単一の画像とその前の画像との差分だけを送信する。２つの画像間の差分だけを送信することにより、次の画像を送信するために必要とされるデータの量は画像全体を送信するより少なくなる。
【０００５】
データのパケットがネットワーク内で失われた場合、しばしば、どのように１つの画像を取り、画像間の差分を付加するかの命令が失われる。これは、画像が不適切にレンダリングされることにつながる。データ損失の量が少なければ、元の画像と視聴者が見るレンダリングされた画像との違いは、人が気付かないほど非常に小さい可能性がある。たとえ違いが分かるとしても、人はおそらくは２つの画像間の違いを定量化することはできないであろう。
【０００６】
本明細書では、用語「忠実度」は、あるネットワーク経路でその入力情報の音声又は画像が正確に再生される程度と定義される。
【０００７】
例えば、かつ限定することなく、元の画像及びレンダリングされた画像における違いは忠実度の損失の結果である。忠実度の損失は、様々な問題、例えば、かつ限定することなく、ネットワーク経路に沿ったサービス品質、他のネットワーク状態、圧縮に固有の損失、情報を圧縮することに伴う問題などの結果として生じる可能性がある。そのようなデータは、例えば、かつ限定することなく、ビデオ、画像、電話、ストリーミングオーディオ、任意の時間依存データ、任意のサービス品質依存データなどでよい。
【０００８】
本明細書では、「ネットワーク経路」はネットワーク内の１対のソースノード及び宛先ノードと定義される。
【０００９】
ネットワーク経路によって提供されるサービスは、本明細書では、そのネットワーク経路の帯域幅、誤り率、及び待ち時間の関数、並びにそれらの時間導関数として定義されるその「サービス品質」によって特徴付けられる。
【００１０】
本明細書では、１つのノードから別のノードまでの「帯域幅」は、第１のノードから第２のノードに移送され得る単位時間当たりの情報の量を示すものと定義される。通常、帯域幅は１秒当たりのビット数又はバイト数で測定される。本明細書では、１つのノードから別のノードまでの「誤り率」は、第１のノードから第２のノードに進むときに破損した情報の量を示すものと定義される。通常、誤り率は、ビット当たりのビット誤り数、又はパケット当たりの失われたパケット数で測定される。本明細書では、１つのノードから別のノードまでの「待ち時間」は、１つのノードから別のノードに情報を移送するためにどれだけの時間が必要とされるかを示すものと定義される。通常、待ち時間は秒で測定される。
【００１１】
忠実度を測定するためにいくつかの方法が存在する。主観的方式、例えば、かつ限定することなく、個人に質問すること、グループに質問して平均を取ること（「平均オピニオン評点」）などが存在する。客観的方式も存在する。これらの方式は、フルリファレンス方式、縮小リファレンス方式、及びノーリファレンス方式の３つの主なカテゴリに入る。
【００１２】
フルリファレンス方式では、元の画像が、画像処理方式を使用して、受信画像と比較される。従って、フルリファレンス方式は元の送信されたビデオシーケンス及び受信されたビデオシーケンスの両方へのアクセスを必要とする。これらの測定方式は計算量が多い。
【００１３】
縮小リファレンス方式は元のビデオシーケンス及び歪んだビデオシーケンスの両方から様々な特徴を抽出し、元の画像及び歪んだ画像の抽出された特徴を相互に比較する。抽出された特徴だけの比較は計算のオーバヘッドを低減するが、それでもなお、ソースビデオから特徴を抽出することは計算量が多い可能性がある。さらに、元の画像の抽出された特徴は、依然として、ネットワークを介して送信され、受信画像に同期される必要があろう。オフライン・ネットワーク評価では、予め定義されたセットの画像が使用されてよい。
【００１４】
ノーリファレンス方式は受信された歪んだ画像だけを使用する。ノーリファレンス方式は、ピクセルベースでも、又はビットストリームベースでもよく、ビデオ品質に関するインサービス・モニタリング評価及びオフライン・ネットワーク評価の両方に、より適している。ピクセルベースの方式は品質を評価するために画像内の知られている歪みを探す。しかし、ピクセルベースの方式は予期しない歪みを有するビデオシーケンスを扱うことはできない。ビットストリームベースの方式はデコーディングを必要としないので、計算量がより少ない。ビデオ品質の評価は計算が簡単である。しかし、追加の事前計算が必要である。
【００１５】
上記の方法は全て大量の計算を必要とする。これら全ての方法の計算必要量が高いので、これらの方法は、処理資源に過度の負担をかけずに控えめにしか使用され得ない。
【発明の概要】
【００１６】
本発明は、従来技術の一部の欠点なしに忠実度を測定するために、元のデータ（元の画像など）をレンダリングされたデータ（レンダリングされた画像など）といつ比較するかを判定するための方法である。これは所与の時間にネットワーク経路のサービス品質を評価することにより、又は時間の経過につれてネットワーク経路の状態を評価し、テストする特定の時間を判定することにより行われる。
【００１７】
本発明の例示的実施形態によれば、ネットワーク状態の変化が大きいほど、テストの頻度が大きくなる。従って、ネットワーク状態の変化がより小さい場合は、テストが行われる頻度はより小さくなる。さらに、本発明の例示的実施形態によれば、ネットワーク状態が悪いほど、より頻繁にテストが行われる。ネットワーク経路を介しての情報の忠実度は、そのネットワーク経路に沿ったサービス品質によって影響されるからである。
【００１８】
忠実度のテストは様々なテストが行われてもよく、毎回同じテストが行われてもよい。
【図面の簡単な説明】
【００１９】
【図１】本発明の例示的実施形態による電気通信システム１００の一部分の概略図である。
【図２】本発明の例示的実施形態による電気通信システム１００の一部分の概略図である。
【図３】本発明の例示的実施形態による電気通信システム１００の一部分の概略図である。
【図４】本発明の例示的実施形態の動作に関連する顕著なタスクの流れ図である。
【図５ａ】本発明の例示的実施形態によるタスク４０３の動作に関連する顕著なタスクの流れ図である。
【図５ｂ】本発明の例示的実施形態によるタスク４０３の動作に関連する顕著なタスクの流れ図である。
【発明を実施するための形態】
【００２０】
図１に、本発明の例示的実施形態による電気通信システム１００の一部分の概略図を示す。電気通信システム１００は、電気通信端末１０１−１から１０１−８まで、電気通信ネットワーク１０２、及びデータ処理システム１０３を備える。
【００２１】
電気通信ネットワークは８個の電気通信端末を備えるが、本開示を読めば、任意の数の電気通信端末が存在する、本発明の代替実施形態をどのように作成し使用するかが当業者には明らかになるであろう。
【００２２】
電気通信ネットワークは１つの電気通信ネットワークを備えるが、本開示を読めば、任意の数の電気通信ネットワークが存在する、本発明の代替実施形態をどのように作成し使用するかが当業者には明らかになるであろう。
【００２３】
電気通信ネットワークは１つのデータ処理システムを備えるが、本開示を読めば、任意の数のデータ処理センタが存在する、本発明の代替実施形態をどのように作成し使用するかが当業者には明らかになるであろう。
【００２４】
電気通信端末１０１−１から１０１−８までは、電気通信ネットワーク上で通信するためのハードウェア及びソフトウェアである。本発明の例示的実施形態によれば、電気通信端末１０１−１から１０１−８までは、有線端末でも無線端末でもよく、或いはそれらの組合せでもよい。本開示を読めば、通信端末１０１−１から１０１−８までをどのように作成し使用するかが当業者には明らかになるであろう。
【００２５】
本発明の例示的実施形態によれば、電気通信端末１０１−１から１０１−８までは、データ（ビデオを含む）を送信、受信、レンダリング、及び表示することができるが、本開示を読めば、電気通信端末１０１−１から１０１−８までが、例えば、かつ限定することなく、データ及びビデオ信号自体を表示することなくそれらを送受信する、データを受信するだけ、などの本発明の代替実施形態をどのように作成し使用するかが当業者には明らかになるであろう。本発明の例示的実施形態によれば、電気通信端末１０１−１から１０１−８まではテレビ、セットトップボックス、パーソナルコンピュータ、移動電話又はスマートフォンなどの移動通信端末などの装置である。
【００２６】
電気通信ネットワーク１０２はプライベートネットワークであるが、本開示を読めば、電気通信ネットワーク１０２が別のネットワーク、例えば、かつ限定することなく、公衆交換電話網、インターネット、プライベートデータ・ネットワーク、コミュニティ・アクセス・テレビ・ネットワーク、ケーブル・テレビ・システム、光ファイバ・データ・ネットワーク、衛星ネットワークなどである、本発明の代替実施形態をどのように作成し使用するかが明らかになるであろう。
【００２７】
データ処理システム１０３は電気通信ネットワーク１０２を介してデータを配信するためのハードウェア及びソフトウェアである。本開示を読めば、データ処理システム１０３をどのように作成し使用するかが当業者には明らかになるであろう。
【００２８】
図２に、本発明の例示的実施形態による電気通信システム１００の一部分の概略図を示す。電気通信システム１００は、電気通信端末１０１−１から１０１−８まで、電気通信ネットワーク１０２、データ処理システム１０３、ｉは１からＩまでの間でよい通信ノード２０１−１から２０１−ｉまで、及びｊは１からＪまでの間でよい通信リンク２０２−１から２０２−ｊまでを備える。
【００２９】
電気通信ネットワークは７個の通信ノードを備えるが、本開示を読めば、任意の数の通信ノードが存在する、本発明の代替実施形態をどのように作成し使用するかが当業者には明らかになるであろう。
【００３０】
電気通信ネットワークは１９個の通信リンクを備えるが、本開示を読めば、任意の数の通信リンクが存在する、本発明の代替実施形態をどのように作成し使用するかが当業者には明らかになるであろう。
【００３１】
電気通信ネットワーク１０２は、図示されているトポロジで構成された複数のノード及びそれらの物理的相互接続を備える。しかし、本開示を読めば、任意の数のノードを備え、任意のトポロジを有するネットワークを備える本発明の代替実施形態をどのように作成し使用するかが当業者には明らかになるであろう。
【００３２】
電気通信ネットワーク１０２内の各ノードは、パケットを受信し、そのパケットをパケット内の宛先アドレスに基づいて、よく知られているやり方で、別のノードに転送することができる。例えば、ノード２０１−１がソースノード電気通信端末１０１−１からパケットを受信し、そのパケットがその宛先アドレスとしてノード電気通信端末１０１−３を含む場合、ノード２０１−１は、その隣接するノードのうちのどのノードにそのパケットを転送するかを決定しなければならない。
【００３３】
ネットワーク内の資源の全てが機能していて、ほとんど輻輳がない場合、各ノードは好ましい次のノードのためのエントリとして列挙されているノードにパケットを転送し、パケットはその宛先ノードに到達するまで、１つの好ましい次のノードからさらに次のノードへと次々に進む。
【００３４】
本発明の例示的実施形態によれば、ネットワーク経路は、データ処理システム１０３から所与の電気通信端末（電気通信端末１０１−８など）までで取られた経路データを備えてよい。例えば、かつ限定することなく、データは、データ処理システム１０３から、リンク２０２−１を備えるネットワーク経路に沿って電気通信端末１０１−８に進んでもよく、又は、そうではなく、ノード２０１−３に進むネットワーク経路に沿って進んでもよい。本開示を読めば、データ処理システム１０３と任意の電気通信端末との間に、及び任意の２つの電気通信端末の間に任意の数のネットワーク経路が存在する、本発明の代替実施形態をどのように作成し使用するかが当業者には明らかになるであろう。
【００３５】
本開示を読めば、情報が任意の数のパケットに分割され、それらのパケットのそれぞれがそれぞれ異なるネットワーク経路に沿って送信される、本発明の代替実施形態をどのように作成し使用するかが当業者には明らかになるであろう。
【００３６】
図３に、本発明の例示的実施形態による電気通信システム１００の一部分の概略図を示す。電気通信システム１００は、データ処理システム１０３から送信される元の画像３０１、電気通信ネットワーク１０２、及び所与の電気通信端末において受信された受信画像３０２を備える。
【００３７】
図３は元の画像を１つしか示していないが、本開示を読めば、任意の数の送信される画像が存在する、本発明の代替実施形態をどのように作成し使用するかが当業者には明らかになるであろう。
【００３８】
図３は受信画像を１つしか示していないが、本開示を読めば、任意の数の受信される画像が存在する、本発明の代替実施形態をどのように作成し使用するかが当業者には明らかになるであろう。
【００３９】
図３は画像を受信する電気通信端末を１つしか示していないが、本開示を読めば、任意の数の電気通信端末が存在する、本発明の代替実施形態をどのように作成し使用するかが当業者には明らかになるであろう。
【００４０】
図３は電気通信ネットワークを１つしか示していないが、本開示を読めば、任意の数の電気通信ネットワークが使用される、本発明の代替実施形態をどのように作成し使用するかが当業者には明らかになるであろう。
【００４１】
図３はデータ処理システムを１つしか示していないが、本開示を読めば、任意の数のデータ処理システムが存在する、本発明の代替実施形態をどのように作成し使用するかが当業者には明らかになるであろう。
【００４２】
本発明の例示的実施形態によれば、元の画像３０１はデータ処理システム１０３から電気通信ネットワーク１０２を介して送信され、受信画像３０２として受信される。
【００４３】
本発明の例示的実施形態によれば、元の画像３０１はビデオのフレームである。しかし、本開示を読めば、元の画像３０１が任意の情報である、本発明の代替実施形態をどのように作成し使用するかが当業者には明らかになるであろう。
【００４４】
本発明の例示的実施形態によれば、受信画像３０２はビデオのフレームである。しかし、本開示を読めば、受信画像３０２が別の形態のデータである、本発明の代替実施形態をどのように作成し使用するかが当業者には明らかになるであろう。
【００４５】
本発明の例示的実施形態によれば、理想的には、元の画像３０１及び受信画像３０２は、完全に同一である。しかし、様々な要因、例えば、かつ限定することなく、通信ネットワーク１０２内のネットワーク経路全体にわたるサービス品質、パケット損失、圧縮問題などのために、受信画像３０２は元の画像３０１と異なる可能性がある。
【００４６】
元の画像３０１から受信画像３０２への忠実度を測定するためのテストが行われてよい。本発明の例示的実施形態によれば、これらのテストは、例えば、かつ限定することなく、ビデオ品質スコア（ＶＱＭ）などの客観的テスト、ビットストリームベースのテストなどの主観的テスト、又はこれら２つのテストの何らかの組合せを含む。本開示を読めば、これらのテストを行う本発明の代替実施形態をどのように作成し使用するかが当業者には明らかになるであろう。
【００４７】
図４に、本発明の例示的実施形態の動作に関連する顕著なタスクの流れ図を示す。
【００４８】
本発明の例示的実施形態によれば、図４において概説されたタスクは、データ処理システム１０３おいて行われる。しかし、本開示を読めば、ステップのいくつか又は全てが別の装置、例えば、かつ限定することなく、電気通信端末、別個のデータ処理システム、テレビ、サーバなどによって行われる、本発明の他の実施形態をどのように作成し使用するかが当業者には明らかになるであろう。
【００４９】
本発明の例示的実施形態によれば、図４において概説されたタスクは一度しか行われないが、本開示を読めば、タスクが何度でも行われる、例えば、かつ限定することなく、タスクが連続して行われる、本発明の代替実施形態をどのように作成し使用するかが当業者には明らかになるであろう。
【００５０】
本発明の例示的実施形態によれば、図４において概説されたタスクは１つのネットワーク経路上でしか行われないが、本開示を読めば、タスクが任意の数のネットワーク経路上で行われる、本発明の代替実施形態をどのように作成し使用するかが当業者には明らかになるであろう。例えば、かつ限定することなく、これらのタスクはいくつかのネットワーク経路全体にわたるサービス品質を測定するために、所与の電気通信ネットワーク内の複数のネットワーク経路上で行われてよい。
【００５１】
タスク４０１において、ネットワーク経路のサービス品質の第１の測定値Ｉ１が時間ｔ１に受信される。
【００５２】
本発明の例示的実施形態によれば、時間ｔ１はカレンダ時間である。しかし、本開示を読めば、時間が別のやり方で表示される、本発明の代替実施形態をどのように作成し使用するかが当業者には明らかになるであろう。
【００５３】
本明細書及び添付の特許請求の範囲では、用語「カレンダ時間」は、
（ｉ）時間（例えば、１６：２３：５８など）、
（ii）１つ以上の時間的名称（例えば、火曜日、１１月など）、
（iii）１つ以上のイベント（例えば、感謝祭、ジョンの誕生日など）、及び
（iv）タイムスパン（例えば、８：００ｐｍから９：００ｐｍなど）
のうちの１つ以上を示すと定義される。
【００５４】
本発明の例示的実施形態によれば、時間ｔ１、ｔ２、ｔ３などは、ｔ２がｔ１の後に来るような順序になっているが、本開示を読めば、諸動作が異なる時間系列で行われる、本発明の代替実施形態をどのように作成し使用するかが当業者には明らかになるであろう。例えば、かつ限定することなく、諸動作は同時に行われてよい。
【００５５】
タスク４０２において、ネットワーク経路のサービス品質の第２の測定値Ｉ２が時間ｔ２に受信される。
【００５６】
タスク４０３において、閾値ｘが受信される。本発明の例示的実施形態によれば、閾値ｘは、測定されたサービス品質に対して比較されるサービス品質の値である。例えば、かつ限定することなく、ｘは、Ｉ１、Ｉ２、Ｉ３の値、又はサービス品質の任意の測定値と比較される。
【００５７】
本発明の例示的実施形態によれば、閾値は、第１の測定値Ｉ１が受信されるのと同時に、又はその後に受信されるが、本開示を読めば、ｘが任意の時間に受信される、例えば、かつ限定することなく、ｘがプロセスの開始前に受信される、ｘがアプリオリ値である、ｘが可変的な値である、ｘがネットワーク経路上のトラフィックに関して設定された値であるなどの、本発明の代替実施形態をどのように作成し使用するかが当業者には明らかになるであろう。
【００５８】
タスク４０４において、時間ｔ３が計算される。このステップは図５ａ及び図５ｂにおいてさらに詳しく述べられる。
【００５９】
タスク４０５において、ネットワーク経路に沿って送信されたデータ信号の忠実度の第１のテストが行われる。本発明の例示的実施形態によれば、テストは、客観的テストでも、主観的テストでも、又はそれらの何らかの組合せでもよい。
【００６０】
タスク４０６において、ネットワーク経路のサービスのサービス品質の第３の測定値Ｉ３が時間ｔ４に受信される。
【００６１】
タスク４０７において、時間ｔ５が計算される。本発明の例示的実施形態によれば、この計算はタスク４０３における計算と同様のやり方で行われるが、本開示を読めば、タスク４０６において異なる計算が使用される、本発明の代替実施形態をどのように作成し使用するかが当業者には明らかになるであろう。
【００６２】
タスク４０８において、ネットワーク経路に沿って送信されたデータ信号の忠実度の第２のテストが行われる。本発明の例示的実施形態によれば、このテストはタスク４０４におけるテストと同様のやり方で行われるが、本開示を読めば、タスク４０７において異なるテストが使用される、本発明の代替実施形態をどのように作成し使用するかが当業者には明らかになるであろう。
【００６３】
本発明の例示的実施形態によれば、忠実度の２つのテストが行われるが、本開示を読めば、任意の数のテストが行われる、本発明の代替実施形態をどのように作成し使用するかが当業者には明らかになるであろう。
【００６４】
本開示を読めば、１つ以上のステップが省略されるか、或いは提示されたものとは異なる順序で、又は同時に行われる、本発明の他の実装形態をどのように作成し使用するかが当業者には明らかになるであろう。
【００６５】
図５ａに、本発明の例示的実施形態によるタスク４０４の動作に関連する顕著なタスクの流れ図を示す。
【００６６】
タスク５０１において、Ｉ１とＩ２との間の差Δ１が測定される。本発明の例示的実施形態によれば、この測定値は、Δ１＝Ｉ２−Ｉ１のようなものである。
【００６７】
タスク５０２において、ｔ３−ｔ２がΔ１に基づく時間ｔ３が計算される。本発明の例示的実施形態によれば、これは、第１の測定値Ｉ１と第２の測定値Ｉ２との間の差の大きさを測定することにより行われる。
【００６８】
本発明の例示的実施形態によれば、Δ１の大きさが大きいほど、ｔ３とｔ２との間で経過する時間は少なくなる。さらに、本発明の例示的実施形態によれば、Δ１の大きさが小さいほど、ｔ３とｔ２との間で経過する時間は多くなる。
【００６９】
本開示を読めば、１つ以上のステップが省略されるか、或いは提示された順序とは異なる順序で、又は同時に行われる、本発明の他の実装形態をどのように作成し使用するかが当業者には明らかになるであろう。
【００７０】
図５ｂに、本発明の例示的実施形態によるタスク４０４の動作に関連する顕著なタスクの流れ図を示す。
【００７１】
タスク５０３において、Ｉ１と閾値ｘとの間の差Δ１が測定される。本発明の例示的実施形態によれば、この測定値は、Δ１＝ｘ−Ｉ１のようなものである。
【００７２】
タスク５０４において、ｔ３−ｔ２がΔ１に基づく、時間ｔ３が計算される。本発明の例示的実施形態によれば、これは、第１の測定値Ｉ１と閾値ｘとの間の差の大きさを測定することにより行われる。本発明の例示的実施形態によれば、Δ１の大きさが大きいほど、ｔ３とｔ１との間で経過する時間は少なくなる。さらに、本発明の例示的実施形態によれば、Δ１が大きい場合は、ｔ３とｔ１との間の時間は非常に小さいか又は事実上ゼロであろう。この場合、テストは直ちに、又はできるだけ早く行われてよい。
【００７３】
本発明の例示的実施形態によれば、Ｉ１＜ｘの場合は、ネットワーク経路に沿ったサービス品質は閾値より低く、そのテストはより頻繁に行われるべきである。さらに、本発明の例示的実施形態によれば、Ｉ１＜＜ｘ（閾値よりずっと低い）の場合は、テストは直ちに、又はできるだけ早く行われるべきである。逆に、Ｉ１＞ｘの場合は、ネットワーク経路に沿ったサービス品質は閾値より高く、そのテストはそれほど頻繁に行われる必要がない。
【００７４】
本開示を読めば、タスク５０４を行う本発明の代替実施形態をどのように作成し使用するかが当業者には明らかになるであろう。
【００７５】
本開示を読めば、１つ以上のステップが省略されるか、或いは提示された順序とは異なる順序で、又は同時に行われる、本発明の他の実装形態をどのように作成し使用するかが当業者には明らかになるであろう。
【図１】
0005543252.tif 000002
【図２】
0005543252.tif 000003
【図３】
0005543252.tif 000004
【図４】
0005543252.tif 000005
【図５ａ】
0005543252.tif 000006
【図５ｂ】
0005543252.tif 000007